(57)【特許請求の範囲】
【請求項１】
埋立地へ投入するに先立って廃棄物を前処理するものであって、細かく破砕した廃棄物を前段の機械洗浄工程において水で洗浄することにより廃棄物中の有機物、重金属、ダイオキシン類を洗浄液中に溶出させ、この洗浄廃水を分離除去工程で固液分離して得られる固形物と前段の機械洗浄工程における前段洗浄物とを後段の機械洗浄工程において有機溶媒で洗浄することにより廃棄物に残留するダイオキシン類を洗浄液中に溶出させ、後段の機械洗浄工程における後段洗浄物を前段の機械洗浄工程に再度投入して水で洗浄し、この機械洗浄後の最終洗浄物を埋立地へ投入し、分離除去工程の脱離液および後段の機械洗浄工程の洗浄廃水を埋立地の浸出水処理施設で水処理することを特徴とする埋立地の安定化方法。
【発明の詳細な説明】
【０００１】
【発明の属する技術分野】
本発明は、一般廃棄物や産業廃棄物等の最終処分場における埋立技術や、土壌汚染現場、不適正処分場、不法投棄現場等における回復技術に係り、処理に要する期間の短縮を図る埋立地の安定化方法に関する。
【０００２】
【従来の技術】
従来の廃棄物埋立地は、堤体をなす貯留構造物によって周囲と遮断し、底部に遮水工および保護土（図示省略）を施工して雨水が浸出水として周囲の地中に漏出することを防止するとともに、浸出水を処理施設に導くための集廃水管を敷設している。集配水管は貯留構造物を貫通してポンプピットに連通しており、集配水管の開口にはゲートを設けている。ポンプピットには浸出水を排出する廃水ポンプを配置している。埋立構造は廃棄物と覆土が交互に層状を成している。
【０００３】
埋立地における浸出水の水量水質は、埋立ごみ質、降雨等の気象条件、埋立構造、埋立地の規模、集水面積の大小、埋立期間、ごみ埋立経過時間等により異なり、埋立地固有の特徴が見られる。たとえば、浸出水中の有機性汚濁成分は埋立初期には高濃度であるが、経年的に減少し、数年後には生物分解が困難な有機物が残ってくる。また、焼却残渣や不燃ごみを埋め立てる場合には、無機物が多いのでこれらに由来するＳＳ、塩類（Ｃａ、Ｃｌ等）、重金属（Ｐｂ、Ｈｇ、Ｃｄ等）、ダイオキシン類が含まれることになる。また、焼却残渣中や不燃ごみ中に生物分解が容易な有機物が多い場合は、ＢＯＤ，ＣＯＤ，Ｔ−Ｎ，ＮＨ4+−Ｎ等が比較的高濃度になる。
【０００４】
【発明が解決しようとする課題】
この埋立処分場の閉鎖は、処分場の全域における埋立が完了した後に、浸出水中の重金属、塩分等の有害成分の濃度が許容値以下に低下し、浸出水の水質が安定した時点で行なっている。
【０００５】
したがって、埋立処分場の供用開始から閉鎖までに要する期間は長年月となり、浸出水処理施設における処理プラントの規模や処理能力は、処分場に降る全降水量を対象として設定する必要があった。
【０００６】
また、焼却残渣（飛灰、主灰）中のダイオキシン類の洗い出しは極めて少なく、埋立地内のダイオキシンポテンシャル（保有量）が高く、長期間にわたって埋立地のリスクが高くなるので、閉鎖までに要する期間が長くなる。
【０００７】
本発明は上記した課題を解決するものであり、浸出水の水質を早期に安定化し、埋立の開始から閉鎖までの期間を短縮することができる埋立地の安定化方法を提供することを目的とする。
【０００８】
【課題を解決するための手段】
上記の課題を解決するために、請求項１に係る本発明の安定化方法は、埋立地へ投入するに先立って廃棄物を前処理するものであって、細かく破砕した廃棄物を前段の機械洗浄工程において水で洗浄することにより廃棄物中の有機物、重金属、ダイオキシン類を洗浄液中に溶出させ、この洗浄廃水を分離除去工程で固液分離して得られる固形物と前段の機械洗浄工程における前段洗浄物とを後段の機械洗浄工程において有機溶媒で洗浄することにより廃棄物に残留するダイオキシン類を洗浄液中に溶出させ、後段の機械洗浄工程における後段洗浄物を前段の機械洗浄工程に再度投入して水で洗浄し、この機械洗浄後の最終洗浄物を埋立地へ投入し、分離除去工程の脱離液および後段の機械洗浄工程の洗浄廃水を埋立地の浸出水処理施設で水処理するものである。
【００１１】
上記した構成により、廃棄物に含まれる塩類、重金属、ダイオキシン類の除去率が高まり、これらの有害物質が浸出水中に溶出することがなく、埋立処分場の供用開始から閉鎖までに要する期間を短縮することができる。
【００１２】
【発明の実施の形態】
以下、本発明の実施形態を図面に基づいて説明する。図１において、埋立廃棄物（又は搬入廃棄物）１は、都市ごみ焼却灰、産業廃棄物等の多種類の汚染物質を複合的に含むものであり、この埋立廃棄物１を埋立地へ投入するに先立って廃前処理する。
【００１３】
埋立廃棄物１を破砕工程２において粒径３０ｍｍ以下に細かく破砕し、破砕した廃棄物を機械洗浄工程３において水もしくは有機溶媒からなる洗浄液で洗浄する。機械洗浄工程３では、例えば機械式洗浄機の回転ドラム内に所定量の廃棄物と所定量の水もしくは有機溶媒を１：１０の割合（容積比）で投入し、１回（２０分程度）の洗浄作業において回転ドラムの回転によって廃棄物と洗浄液とを攪拌して洗浄作業を行う。この洗浄により廃棄物中の有機物（ＢＯＤ、ＣＯＤ等）、重金属（Ｐｂ、Ｈｇ、Ｃｄ等）、ダイオキシン類を洗浄液中に溶出させ、１回の洗浄作業終了後に機械式洗浄機内の洗浄廃水（スラリー）を分離除去工程４に導く。この後、新たに水もしくは有機溶媒からなる洗浄液を機械式洗浄機の回転ドラム内に投入して洗浄作業を行い、この洗浄作業を４回以上行なう。全ての洗浄作業が終了した後に、機械式洗浄機に残った機械洗浄後の洗浄物を埋立地へ投入する。
【００１４】
この洗浄によって得られる廃棄物の安定化指標は、最終回の洗浄作業後の洗浄廃水をろ過して得られるろ過水中の各成分量において以下のようになる。
ＥＣ（電気伝導率）≦１５００μｓ／ｃｍ
Ｐｂ≦０．１ｐｐｍ
ＤＸＮ（ダイオキシン類）含有量≦１０ｐｇ−ＴＥＱ／Ｌ
ＣＯＤ≦２０ｐｐｍ
分離除去工程４では、例えば沈降分離設備において洗浄廃水を沈降分離し、沈降した固形物を埋立地へ投入して埋立処分し、脱離液を埋立地の浸出水処理施設で水処理する。
【００１５】
この構成により、廃棄物に含まれる塩類、重金属、ダイオキシン類を事前に除去するので、これらの有害物質が浸出水中に溶出することがなく、埋立処分場の供用開始から閉鎖までに要する期間を短縮することができる。
【００１６】
図２は本発明の他の実施の形態を示すものである。図２において埋立廃棄物（又は搬入廃棄物）１１は、都市ごみ焼却灰、産業廃棄物等の多種類の汚染物質を複合的に含むものであり、この埋立廃棄物１１を埋立地へ投入するに先立って廃前処理する。
【００１７】
埋立廃棄物１１を破砕工程１２において粒径３０ｍｍ以下に細かく破砕し、破砕した廃棄物を前段の機械洗浄工程１３において洗浄水で洗浄する。前段の機械洗浄工程１３では、例えば機械式洗浄機の回転ドラム内に所定量の廃棄物と所定量の水を１：１０の割合（容積比）で投入し、１回（２０分程度）の洗浄作業において回転ドラムの回転によって廃棄物と洗浄液とを攪拌して洗浄作業を行う。この洗浄により廃棄物中の有機物（ＢＯＤ、ＣＯＤ等）、重金属（Ｐｂ、Ｈｇ、Ｃｄ等）、ダイオキシン類を洗浄水中に溶出させ、１回の洗浄作業終了後に機械式洗浄機内の洗浄廃水（スラリー）を分離除去工程１４に導く。この後、新たに洗浄水を機械式洗浄機の回転ドラム内に投入して洗浄作業を行い、この洗浄作業を４回以上行なう。
【００１８】
分離除去工程１４では、例えば沈降分離設備において洗浄廃水を沈降分離し、脱離液を埋立地の浸出水処理施設で水処理する。分離除去工程１４で沈降した固形物および前段の機械洗浄工程１３における前段洗浄物を後段の機械洗浄工程１５において有機溶媒で洗浄する。
【００１９】
後段の機械洗浄工程１５では、例えば機械式洗浄機の回転ドラム内に所定量の廃棄物と所定量の有機溶媒（濃度５％のメタノール）を１：１０の割合（容積比）で投入し、３０〜８０℃（最適８０℃）に加温し、１回（２０分程度）の洗浄作業において回転ドラムの回転によって廃棄物と洗浄液とを攪拌して洗浄作業を行う。この洗浄作業によって廃棄物に残留するダイオキシン類を洗浄液中に溶出させ、洗浄廃水を埋立地の浸出水処理施設で水処理する。
【００２０】
後段の機械洗浄工程１５における後段洗浄物は前段の機械洗浄工程１３において再び洗浄水で洗浄する。この前段の機械洗浄工程１３では、例えば機械式洗浄機の回転ドラム内に所定量の廃棄物と所定量の水を１：１０の割合（容積比）で投入し、１回（２０分程度）の洗浄作業において回転ドラムの回転によって廃棄物と洗浄液とを攪拌して洗浄作業を行う。この機械洗浄後の最終洗浄物を埋立地へ投入する。
【００２１】
この洗浄によって得られる廃棄物の安定化指標は、最終回の洗浄作業後の洗浄廃水をろ過して得られるろ過水中の各成分量において以下のようになる。
ＥＣ（電気伝導率）≦１５００μｓ／ｃｍ
Ｐｂ≦０．１ｐｐｍ
ＤＸＮ（ダイオキシン類）含有量≦１０ｎｇ−ＴＥＱ／ｇ
つまり、ＤＸＮ（ダイオキシン類）含有量が先の実施の形態のものに比して極微量となる。
【００２２】
【発明の効果】
以上述べたように本発明によれば、埋立地へ投入するに先立って廃棄物を前処理し、廃棄物に含まれる塩類、重金属、ダイオキシン類を事前に除去するので、これらの有害物質が浸出水中に溶出することがなく、埋立処分場の供用開始から閉鎖までに要する期間を短縮することができる。
【図面の簡単な説明】
【図１】本発明の実施形態における処理方法を示すフローシートである。
【図２】本発明の他の実施形態における処理方法を示すフローシートである。
【符号の説明】
１    埋立廃棄物
２    破砕工程
３    機械洗浄工程
４    分離除去工程
【図１】
0003778775.tif 000002
【図２】
0003778775.tif 000003